(57)【要約】【課題】  本発明は、簡単に作製することができ、目視で真偽を判別することができる偽造防止効果の優れた潜像入りカードを提供することである。【解決手段】  カード基材層の一方の面に地紋絵柄層が形成され、地紋絵柄層が所定の模様を形成するように部分的にマット調地紋絵柄層とされている構成、ないしは、カード基材層の一方の面に地紋絵柄層とオーバープリント層が順に形成され、オーバープリント層が所定の模様を形成するように部分的にマット調オーバープリント層とされている構成からなる潜像入りカードである。【選択図】    図１
2006116883.tif 000002
【特許請求の範囲】
【請求項１】
カード基材層の一方の面に地紋絵柄層が形成されたカードであって、前記地紋絵柄層が所定の模様を形成するように部分的にマット調地紋絵柄層とされている構成からなることを特徴とする潜像入りカード。
【請求項２】
カード基材層の一方の面に地紋絵柄層とオーバープリント層が順に形成されたカードであって、前記オーバープリント層が所定の模様を形成するように部分的にマット調オーバープリント層とされている構成からなることを特徴とする潜像入りカード。
【請求項３】
カード基材層の他方の面に絵柄層が形成されている構成からなることを特徴とする請求項１または２記載の潜像入りカード。
【請求項４】
カード基材層の他方の面に磁気層と隠蔽層と絵柄層が順に形成されている構成からなることを特徴とする請求項１または２記載の潜像入りカード。
【発明の詳細な説明】
【技術分野】
【０００１】
本発明は、特殊なインキ等の材料を使用することなしに簡単に作製でき、目視により真偽判定が可能な、優れた偽造防止効果を有するカードに関する。
【背景技術】
【０００２】
従来、潜像ないしは透かしを利用して偽造及び改ざんを防止した印刷物としては、被印刷体の表裏いずれか一方に万線、網点等によって各種模様を印刷し、他方には万線、網点等に潜像とすべき図柄を施した画線からなる各種模様を、互いに印刷位置が合うように印刷し、この表裏模様合成印刷物を光で透かして見ると表裏の模様が合成されて潜像が連続階調の画像として出現する潜像を施した表裏模様合成印刷物（例えば、特許文献１参照）、光透過可能な積層体からなる偽造防止印刷物であって、積層体の層間に、少なくとも一部が相互に重複しない開口部により構成されるパターンを有する２層以上の隠蔽層を積層してなり、パターンの組合わせによるグラデーションを呈する透かし模様を有する偽造防止印刷物（例えば、特許文献２参照）等が知られている。
【特許文献１】特開平５−１３９０２２号
【特許文献２】特開平９−１５６１９９号
【０００３】
しかしながら、上記の潜像を施した表裏模様合成印刷物では、被印刷体の表裏いずれか一方に万線、網点等によって各種模様を印刷し、他方には万線、網点等に潜像とすべき図柄を施した画線からなる各種模様を、互いに印刷位置が合うように印刷することが必要であり、また、偽造防止印刷物では、光透過可能な積層体の層間に少なくとも一部が相互に重複しない開口部により構成されるパターンを有する２層以上の隠蔽層を積層することが必要であり、両者はいずれもその構成が複雑であるため製造工程が煩雑になりコストアップになるという欠点を有している。
【発明の開示】
【発明が解決しようとする課題】
【０００４】
本発明の目的は、特殊なインキ等の材料を使用することなしに簡単に作製することができる、目視により真偽判定が可能な、優れた偽造防止効果を有するカードを提供することである。
【課題を解決するための手段】
【０００５】
カード基材層の一方の面に地紋絵柄層が形成されたカードであって、前記地紋絵柄層が所定の模様を形成するように部分的にマット調地紋絵柄層とされている構成からなる潜像入りカードである。
【０００６】
カード基材層の一方の面に地紋絵柄層とオーバープリント層が順に形成されたカードであって、前記オーバープリント層が所定の模様を形成するように部分的にマット調オーバープリント層とされている構成からなる潜像入りカードである。
【０００７】
上記の潜像入りカードにおいて、カード基材層の他方の面に絵柄層が形成されている構成である。
【０００８】
上記の潜像入りカードにおいて、カード基材層の他方の面に磁気層と隠蔽層と絵柄層が順に形成されている構成である。
【発明の効果】
【０００９】
請求項１に係る発明では、カード基材層の一方の面に地紋絵柄層が形成され、地紋絵柄層が所定の模様を形成するように部分的にマット調地紋絵柄層とされて地紋絵柄層とマット調地紋絵柄層に連続性を持たせているので、カード正面から見た場合は連続性のあるカード全域の印刷に見えるが、カードを斜めにして光にかざすとマット調地紋絵柄層の部分が潜像として見えるので、目視により判別可能を優れた偽造防止効果を備えたカードとすることができる。
【００１０】
請求項２に係る発明では、地紋絵柄層面に形成されたオーバープリント層が所定の模様を形成するように部分的にマット調オーバープリント層とされることにより、オーバープリント層とマット調オーバープリント層に連続性を持たせているので、カード正面から見た場合は連続性のあるカード全域の印刷に見えるが、カードを斜めにして光にかざすとマット調オーバープリント層の部分が潜像として見えるので、目視により判別可能を優れた偽造防止効果を備えたカードとすることができる。  
【００１１】
請求項３、４に係る発明では、カード基材層の他方の面に任意の絵柄を印刷することができるので、偽造防止効果及び意匠性に優れた潜像入りカード又は磁気層を有する潜像入りカードとすることができる。
【発明を実施するための最良の形態】
【００１２】
以下、図面に基づいて本発明の実施の形態を説明する。
図１は本発明の第１実施形態を示す平面図、図２は図１のＩ−Ｉ線断面図、図３は本発明の第２実施形態を示す図２に対応する断面図、図４は本発明の第３実施形態を示す平面図、図５は図４のII−II線断面図、図６は本発明の第４実施形態を示す図５に対応する断面図であって、１，1'，1"，1"' は潜像入りカード、２は地紋絵柄層、2'はマット調地紋絵柄層、３はオーバープリント層、3'はマット調オーバープリント層、４は絵柄層、５は透明樹脂層、６は磁気層、７は隠蔽層、10はカード基材層をそれぞれ表す。
【００１３】
本発明の第１実施形態の潜像入りカード１は、平面形状が図１に断面形状が図２にそれぞれ示されているとおりであり、カード基材層10の一方の面には、図１に示すように、全面に地紋絵柄層２が形成され、地紋絵柄層２の一部分がマット調地紋絵柄層2'とされ、マット調地紋絵柄層2'によりＤＮＰの模様からなる潜像を形成するようにされているものであり、カード基材層10の他方の面には絵柄層４と透明樹脂層５が順に積層されている構成である。地紋絵柄層２は連続した細かい個々の模様の集合体からなり、ＤＮＰの模様からなる潜像を形成するように、ＤＮＰの模様に対向する位置の地紋絵柄層２を構成する細かい個々の模様を、地紋絵柄層２と同一色調のマット調インキにより形成されたマット調地紋絵柄層2'とされているものである。カードの地紋絵柄層２を見る角度によって、マット調地紋絵柄層2'により形成されたＤＮＰの模様が潜像として見えるものである。
【００１４】
本発明の第２実施形態の潜像入りカード1'は、平面形状が図１と同様であり、断面形状が図３に示されているとおりであって、カード基材層10の他方の面に磁気層６と隠蔽層７と絵柄層４と透明樹脂層５が順に積層されている構成である点において相違する以外は、第１実施形態と基本的に同じ構成である。第２実施形態の場合は、カード基材層10の他方の面に磁気層６と隠蔽層７を有する構成であり、磁気層を備えているので、より偽造防止効果が優れるとともに意匠性も優れた潜像入りカードとなる。
【００１５】
本発明の第３実施形態の潜像入りカード1"は、平面形状が図４に断面形状が図５にそれぞれ示されているとおりであり、カード基材層10の一方の面には、図４に示すように、全面に地紋絵柄層２が形成されるとともに、地紋絵柄層２の面にオーバープリント層が形成され、オーバープリント層の一部分がマット調オーバープリント層3'とされていることにより、マット調オーバープリント層3'にてＤＮＰの模様からなる潜像を形成するようにされているものでおり、カード基材層10の他方の面に絵柄層４と透明樹脂層５が順に積層されている構成である。地紋絵柄層２は細かい模様の集合体であり、地紋絵柄層２の面にマット調オーバープリントメジウムにて印刷されたマット調オーバープリント層3'によりＤＮＰの模様からなる潜像が形成されているものである。マット調オーバープリント層3'により形成されたＤＮＰの模様が、カードの地紋絵柄層２を見る角度によって潜像として見える。
【００１６】
本発明の第４実施形態の潜像入りカード1"' は、平面形状が図４に断面形状は図６にそれぞれ示されているとおりであり、カード基材層10の他方の面に磁気層６と隠蔽層７と絵柄層４と透明樹脂層５が順に積層されている構成である点において相違する以外は、第３実施形態と基本的に同じ構成である。第４実施形態の場合は、磁気層を備えているので、偽造防止効果および意匠性の優れた潜像入りの磁気カードとして使用できる。
【００１７】
実施形態１〜４においては地紋印刷層をカード基材層の一方の面の全面に形成した構成としているが、地紋印刷層を形成する面積は任意でありカード基材層の一方の面に部分的に形成してもよいが、地紋印刷層を形成する面積は大きい方が好ましい。地紋印刷層を構成する地紋は任意であり、一般的には細かい文字、各種記号、万線や網点などの模様の集合体からなる連続性のあるものが好適に使用できる。実施形態１、２では、地紋印刷層２とマット調地紋絵柄層2'とは同色調のインキを使用して印刷されており、カード基材層10面に潜像となる部分を抜いた柄の印刷版を使用してマット剤を含まないインキにて地紋印刷層２を形成するとともに潜像となる部分の柄の印刷版を使用して所定量のマット剤を含む同色調のマットインキにてマット調地紋絵柄層2'を印刷して形成したものであり、実施形態３、４では、カード基材層面10面に地紋印刷層２を形成した後に、地紋印刷層２の面に潜像となる部分を抜いた柄の印刷版を使用して透明なオーバープリントインキにてオーバープリント層３を形成するとともに潜像となる部分の柄の印刷版を使用して透明なマット剤を含むオーバープリントインキにてマット調オーバープリント層3'を印刷したものである。
【００１８】
マット調地紋絵柄層2'およびマット調オーバープリント層3'を形成するためのインキに添加するマット剤としては、シリカ、炭酸カルシウム、炭酸バリウム、アルミナ、ガラスバルーン等の無機微粉末が挙げられる。マット剤の形状は任意であるが球状又は略球状が好ましい。マット剤の粒径としては０．５〜１０μｍのものを用いることができる。上記の範囲内であると均一に分散して綺麗なマット面を形成でき表面に目立った凹凸を形成せず比較的平滑な表面を形成できる。マット剤のインキへの添加量としては１〜２０重量％が好ましい。
【００１９】
カード基材層として使用できる樹脂は、剛性があり強度的に優れた熱可塑性樹脂であれば特に限定されないが、ポリ塩化ビニル、ポリエチレンテレフタレート、ポリブチレンテレフタレート、ＰＥＴ−Ｇ等の共重合ポリエステル樹脂、ＡＢＳ樹脂等が使用できる。カード基材層は白色に着色したものを使用するのが好ましい。透明のものを使用する場合は白色のベタ印刷をすることが必要になる。
【図面の簡単な説明】
【００２０】
【図１】本発明の第１実施形態を示す平面図。
【図２】図１のＩ−Ｉ線断面図。
【図３】本発明の第２実施形態を示す図２に対応する断面図。
【図４】本発明の第３実施形態を示す平面図。
【図５】図４のII−II線断面図。
【図６】本発明の第４実施形態を示す図５に対応する断面図。
【符号の説明】
【００２１】
１，1'，1"，1"'   潜像入りカード
２  地紋絵柄層
２’  マット調地紋絵柄層
３  オーバープリント層
３’  マット調オーバープリント層
４  絵柄層
５  透明樹脂層
６  磁気層  
７  隠蔽層
10  カード基材層
【図１】
2006116883.tif 000003
【図２】
2006116883.tif 000004
【図３】
2006116883.tif 000005
【図４】
2006116883.tif 000006
【図５】
2006116883.tif 000007
【図６】
2006116883.tif 000008